(57)【要約】【課題】変形前の側面視略への字形をなす弾性多孔質素材体が、湾曲する便鉢内の被清掃面に接触し易く、便器を確実且つ効率的に清掃することができるとともに、大きく曲折した変形後の弾性多孔質素材体が、下向き開口の水返し部の内隅部に入り込み易く、この部分を確実且つ効率的に清掃することができる便器清掃用具を提供する。【解決手段】側面視略への字形となるように形成されるとともに、曲折部３０４が更に曲折するような可撓性を有する芯体３０と、この芯体３０が芯となるように設けられた弾性多孔質素材体３１とを備え、この弾性多孔質素材体３１が、芯体３０の形状に規制されて側面視略への字形をなすとともに、この芯体３０の可撓性による形状の変化に追随して変形するようにされてある。【選択図】図４
2015036002.tif 000002
【特許請求の範囲】
【請求項１】
便器内の便鉢を接触清掃する清掃部と、該清掃部を取り付ける柄部とを備える便器清掃用具において、
前記清掃部は、
前記柄部から延び出るように取り付けられる芯体と、
該芯体が芯となるように設けられて前記便鉢に接触する弾性多孔質素材体と
を備え、
前記芯体は、前記柄部との基端から先端にかけて上方に曲折して側面視略への字形となるように形成され、この曲折する部分が前記便鉢への押付力に応じて更に曲折する可撓性を有し、
前記弾性多孔質素材体は、前記芯体に規制されて側面視略への字形をなすとともに前記芯体の可撓性による形状の変化に追随して変形するようにされてあることを特徴とする便器清掃用具。
【請求項２】
前記芯体は、前記柄部との基端側に形成された該柄部への嵌合部を備え、
該嵌合部は、前記柄部との基端が複数股に分岐し、分岐した先端が外股側に拡がる楔状に形成された股部を備え、
前記柄部は、前記嵌合部が嵌り込む被嵌合孔を備え、
該被嵌合孔は、前記嵌合部が嵌り込んだ状態で、その股部が掛止する形状となるように形成され、
前記股部は、前記被嵌合孔に嵌り込んだ状態で、内股側に湾曲することが規制されていることを特徴とする請求項１に記載の便器清掃用具。
【発明の詳細な説明】
【技術分野】
【０００１】
本発明は、便器の便鉢を接触清掃する清掃部と、この清掃部を取り付ける柄部とを備える便器清掃用具に関する。
【背景技術】
【０００２】
従来、男性小便器や大便器などの衛生陶器（以下「便器」という。）は、利用者の排泄物飛沫が付着するため、不衛生な状態になり易い。便器は、不衛生な状態が放置された場合、悪臭が生じ、病気を蔓延させるなど、生活環境に悪影響を及ぼす。そのため、便器の清掃作業を確実且つ効率的に実行することが市場において強く求められている。
【０００３】
また、従来の便器は、参照する図４に示すとおり、便鉢９の頂部周縁９１から洗浄水を流下させることにより、便鉢９に付着した利用者の排泄物飛沫を洗浄する。そのため、従来の便器は、洗浄水が便鉢から飛び出すことがないように便鉢９の頂部周縁９１に水返し部９２が形成されている。水返し部９２は、内隅部９３が狭く、下向きに開口しているため、最も清掃し難い箇所とされている。
【０００４】
そこで、従来、便器の水返し部９２の内隅部９３の清掃作業を確実且つ効率的に実行することができるように様々な清掃用具が提案がされている（例えば、特許文献１）。
【先行技術文献】
【特許文献】
【０００５】
【特許文献１】特開平７−３０８２６８号公報
【発明の概要】
【発明が解決しようとする課題】
【０００６】
特許文献１記載の便器清掃用具は、清掃部（ブラシ部）が側面視Ｕ字形に形成され、清掃部の先端が上向きに湾曲していることにより、この先端部分が、下向き開口の水返し部９２の内隅部９３に入り込み易くなるように工夫されている。
【０００７】
しかしながら、特許文献１記載の便器清掃用具にあっては、清掃部が特殊な形状をしているため、水返し部９２の内隅部９３以外の清掃に適しているとは言い難く、かえって便器全体の清掃作業が非効率的なものとなるという問題を有している。
【０００８】
本発明は、かかる事情を鑑みてなされたものであり、側面視略への字形となるように形成されるとともにこの曲折する部分が更に曲折するような可撓性を有する芯体と、この芯体が芯となるように設けられた弾性多孔質素材体とを備え、この弾性多孔質素材体が、芯体の形状に規制されて側面視略への字形をなすとともに、この芯体の可撓性による形状の変化に追随して変形するようにされてあることにより、変形前の側面視略への字形をなす弾性多孔質素材体が、湾曲する便鉢内の被清掃面に接触し易く、便器を確実且つ効率的に清掃することができるとともに、大きく曲折した変形後の弾性多孔質素材体が、下向き開口の水返し部の内隅部に入り込み易く、この部分を確実且つ効率的に清掃することができる便器清掃用具を提供することを目的とする。
【課題を解決するための手段】
【０００９】
請求項１記載の便器清掃用具は、便器内の便鉢を接触清掃する清掃部と、該清掃部を取り付ける柄部とを備える便器清掃用具において、前記清掃部は、前記柄部から延び出るように取り付けられる芯体と、該芯体が芯となるように設けられて前記便鉢に接触する弾性多孔質素材体とを備え、前記芯体は、前記柄部との基端から先端にかけて上方に曲折して側面視略への字形となるように形成され、この曲折する部分が前記便鉢への押付力に応じて更に曲折する可撓性を有し、前記弾性多孔質素材体は、前記芯体に規制されて側面視略への字形をなすとともに前記芯体の可撓性による形状の変化に追随して変形するようにされてあることを特徴とする。
【００１０】
本発明にあっては、弾性多孔質素材体が、芯体に規制され、側面視略への字形をなすことにより、湾曲する便鉢の被清掃面に接触し易く、便器を確実且つ効率的に清掃することができる。また、本発明にあっては、弾性多孔質素材体が、芯体の変形に追随して更に大きく曲折するようにされていることにより、下向き開口の水返し部の内隅部に入り込み易く、この部分を確実且つ効率的に清掃することができる。更にまた、本発明にあっては、被清掃面の押付力に応じて芯体が変形し、この芯体の変形に追随して弾性多孔質素材体が変形するようにされていることにより、被清掃面への押付という簡単な操作のみで、芯体及び弾性多孔質素材体の変形が可能となる。
【００１１】
請求項２記載の便器清掃用具は、前記芯体は、前記柄部との基端側に形成された該柄部への嵌合部を備え、該嵌合部は、前記柄部との基端が複数股に分岐し、分岐した先端が外股側に拡がる楔状に形成された股部を備え、前記柄部は、前記嵌合部が嵌り込む被嵌合孔を備え、該被嵌合孔は、前記嵌合部が嵌り込んだ状態で、その股部が掛止する形状となるように形成され、前記股部は、前記被嵌合孔に嵌り込んだ状態で、内股側に湾曲することが規制されていることを特徴とする。
【００１２】
本発明にあっては、芯体の嵌合部が柄部の被嵌合孔に嵌まり込むようにされていることにより、芯体と柄部とを別個独立して製造することができ、効率的に製造することができ、最終的な製造費用を抑えることができる。また、本発明にあっては、芯体の嵌合部及び柄部の被嵌合孔が上述する構造を備えることにより、芯体が柄部に取り付け易く、効率的に組み立てることができる。更にまた、本発明にあっては、股部が内股側に湾曲することが規制されることにより、被清掃面への押付の際の応力により、股部が捩れて内股に湾曲して掛止受部から不用意に外れる、ということがない。
【発明の効果】
【００１３】
本発明は、変形前の側面視略への字形をなる弾性多孔質素材体が、湾曲する便鉢内の被清掃面に接触し易くなり、便器全体を確実且つ効率的に清掃することができるとともに、大きく曲折した変形後の弾性多孔質素材体が、下向き開口の水返し部の内隅部に入り込み易くなり、この部分を確実且つ効率的に清掃することができる。
【図面の簡単な説明】
【００１４】
【図１】本発明に係る便器清掃用具の全体構成を示す斜視図である。
【図２】本発明に係る便器清掃用具を柄部と芯体と弾性多孔質素材体とに分解した状態を示す斜視図である。
【図３】本発明に係る便器清掃用具を示す側面図である。
【図４】本発明に係る便器清掃用具において、芯体と弾性多孔質素材体との形状が変化する様を示した断面図である。
【図５】本発明に係る便器清掃用具が備える芯体の嵌合部を示す図であって、（ａ）は芯体の嵌合部が柄部の被嵌合孔に嵌まり込む様を示す図、（ｂ）は嵌合部の股部の内股側への湾曲が規制されている様を示す図である。
【発明を実施するための形態】
【００１５】
（便器清掃用具の全体構成について）
本発明に係る便器清掃用具を実施の形態を示す図面に基づいて以下説明する。
【００１６】
図中、１は、便器清掃用具である。便器清掃用具１は、主として、便器内の便鉢９を清掃するための用具である。便器清掃用具１は、清掃作業者が握持するための柄部２と、柄部２に取り付けられて便鉢９内の被清掃面を接触清掃する清掃部３とを備える。
【００１７】
柄部２は、ポリプロピレンなどの熱可塑性合成樹脂により形成されている。柄部２は、柄の一端に形成された、清掃作業者が握持するための握持部２０と、柄の他端に形成された、清掃部３を取り付けるための被嵌合孔２１とを備える。
【００１８】
被嵌合孔２１は、清掃部３を取り付けるための開口部２１０と、開口部２１０から連続する内壁面２１１と、内壁面２１１から連続する挿通口部２１２と、挿通口部２１２の開口縁を構成する掛止受部２１３とを備える。
【００１９】
被嵌合孔２１は、開口部２１０から挿通口部２１２に向かって徐々に幅狭となるように内壁面２１１が連続し、挿通口部２１２の開口縁付近で突如幅広となる形状となり、この幅広部分が掛止受部２１３として形成されている。
【００２０】
清掃部３は、柄部２から延び出るように取り付けられる芯体３０と、芯体３０が芯となるように設けられた弾性多孔質素材体３１とを備える。
【００２１】
芯体３０は、ポリプロピレンなどの熱可塑性樹脂により形成されており、平面視略帯状をなしている。芯体３０は、柄部２との基端に、柄部２の被嵌合孔２１に嵌まり込む嵌合部３００を備える。
【００２２】
嵌合部３００は、基端に向かって窄み、平面視略三角形となるように形成されている。また、嵌合部３００は、平面視略三角形の頂点部分が、即ち、基端部分が複数股に分岐した股部３０１を備える。
【００２３】
股部３０１は、分岐した先端が外股側に拡がる鏃状に形成されている。股部３０１は、通常、股間が開いている。股部３０１は、外部から応力が加わることにより、一又は全ての股が御辞儀するような格好で内股側に湾曲する。股部３０１は、被嵌合孔２１の内周壁２１１に押されることにより一時的に内股側に湾曲し、挿通口部２１２を通過する。そして、股部３０１は、図５（ａ）に示すように、挿通口部２１２を通過した直後に、内股側への湾曲が解除され、外股側に拡がる先端の楔部分が挿通口部２１２の掛止受部２１３に掛け止まる。
【００２４】
また、股部３０１は、股間に突起部３０２（障害物）を備える。例えば、股部３０１は、被嵌合孔２１に嵌り込んだ状態で外部から応力を受けた場合、図５（ｂ）に示すように、全体が捩れて一方の股が他方の股に向かって大きく御辞儀するような格好で湾曲する。このとき、一方の股が他方の股から突出する突起部３０２に接触することにより、一方の股の内股側への湾曲が一定以上にならないよう規制される。その結果、股部３０１が掛止受部２１３から不用意に外れる、ということがないようにできる。
【００２５】
また、芯体３０は、中程付近が平面視で幅狭となる切欠部３０３を備える。なお、切欠部３０３の機能については、後述にて説明する。
【００２６】
また、芯体３０は、柄部２との基端から先端にかけて上方に曲折して側面視略への字形となるように形成されている。また、芯体３０は、上方に曲折する部分（以下、「曲折部３０４」という。）の厚みが他の箇所よりも薄めに形成され、清掃作業者による便鉢９内の被清掃面への押付力に応じて更に上方に曲折変形する可撓性を有する。また、芯体３０は、周辺に取り付いた弾性多孔質素材体３１を傷めることがないように最先端部の厚みが厚めに形成されている。
【００２７】
弾性多孔質素材体３１は、連続気泡を有する素材であり、例えば、ポリウレタン、ポリエチレン及びメラミンなどの合成樹脂により形成されている。また、弾性多孔質素材体３１は、平面視略板状をなし、所定の気泡数を有する密部３１０と、この密部３１０より気泡数が少ない粗部３１１との二層積層構造となっている。ここで、「気泡数」とは、弾性多孔質素材の単位長さ（２５mm）あたりの気泡の数のことであり、気泡数が多いほど、目が詰まった状態を示す。
【００２８】
また、弾性多孔質素材体３１は、二つ折りにされ、芯体３０を平面視側及び底面視側から挟み込むようにされ、この状態で相対する面に接着剤が塗布されて接着固定される。また、弾性多孔質素材体３１は、相対する面が接着固定されることにより、芯体３０の切欠部３０３に引っ掛かり、芯体３０から引っ張り抜けることがないようにされている（図２参照）。
【００２９】
また、弾性多孔質素材体３１は、相対する面が接着固定される状態で、密部３１０が外層となるように芯体３０に取り付けられる。弾性多孔質素材体３１は、密部３１０と粗部３１１とを備えることにより、密部３１０が、被清掃面との優れた摩擦力を有し、汚れを確実に排除するとともに、粗部３１１が、優れた通気性を有し、乾燥を早めて保管ケースへの収納を容易とする。
【００３０】
また、弾性多孔質素材体３１は、芯となる芯体３０の形状に規制されて側面視略への字形をなすとともに、芯体３０の可撓性による形状の変化に追随して更に上方に曲折変形する。弾性多孔質素材体３１は、湾曲する便鉢９内の被清掃面に接触し易くなり、便器全体を確実且つ効率的に清掃することができるとともに、図４に示すように、便鉢９内の被清掃面への押付力に応じて曲折部３０４が大きく曲折し、下向き開口の水返し部９２の内隅部９３に入り込み易くなり、この部分を確実且つ効率的に清掃することができる。
【００３１】
なお、上述した実施の形態においては、清掃部３１が、便鉢９内の水返し部９２の内隅部９３に入り込む様を一例として説明した。しかしながら、本発明は、これに限定されることなく、その他の形状を備える便器内を清掃するものであってもよい。
【００３２】
例えば、近時の洋風大便器は、便鉢９の頂部周縁９１の吐水口から鉢底の排水口までの間を洗浄水が渦巻き状に流出して便鉢９内を均等に流れる形態のものがある。本発明に係る便器清掃用具１にあっては、弾性多孔質素材体３１が幅方向に押し潰れることにより、幅狭な便鉢９の吐水口に入り込み、吐水口周りを確実に清掃することができる。
【符号の説明】
【００３３】
１  便器清掃用具
２  柄部
２０  握持部
２１  被嵌合孔
２１０  開口部
２１１  内壁面
２１２  挿通口部
２１３  掛止受部
３  清掃部
３０  芯体
３００  嵌合部
３０１  股部
３０２  突起部
３０３  切欠部
３０４  曲折部
３１  弾性多孔質素材体
３１０  密部
３１１  粗部
【図１】
2015036002.tif 000003
【図２】
2015036002.tif 000004
【図３】
2015036002.tif 000005
【図４】
2015036002.tif 000006
【図５】
2015036002.tif 000007